(57)【要約】【課題】本発明の目的は、外観の意匠性を損なうことなく、正面から見た際に奥行き方向の開放感が得られる階段を提供することである。【解決手段】段板部材と、前記段板部材を支持する荷重支持部材と、備え、前記荷重支持部材は、鋼板で形成され前記段板部材が固定された段板支持部と、鋼板で形成され前記段板支持部の幅方向の中央部を鉛直方向下方から支持する一対のささら桁部と、を備える。【選択図】図１
2015218478.tif 000002
【特許請求の範囲】
【請求項１】
段板部材と、
前記段板部材を支持する荷重支持部材と、備え、
前記荷重支持部材は、鋼板で形成され前記段板部材が固定された段板支持部と、鋼板で形成され前記段板支持部の幅方向の中央部を鉛直方向下方から支持する一対のささら桁部と、を備えることを特徴とする階段。
【請求項２】
前記段板支持部は、前記一対のささら桁部それぞれに対して溶接により接合されていることを特徴とする、請求項１に記載の階段。
【請求項３】
前記段板部材及び当該段板部材が固定される前記段板支持部は、それぞれ複数設けられており、
前記段板部材は、前記段板支持部の上面に載置される矩形板状の段板部と、前記段板部の奥行き方向の後端部から鉛直方向上方に起立した矩形板状の起立部と、を備え、
前記複数の段板部材のうち１つの第１段板部材の前記起立部の上端と、前記第１段板部材よりも１つ上段に位置する第２段板部材の下端及び前記第２段板部材が固定される段板支持部の下端との間には、間隙が形成されていることを特徴とする、請求項１又は２に記載の階段。
【請求項４】
前記間隙は、蹴上寸法の半分以下であることを特徴とする、請求項３に記載の階段。
【請求項５】
前記起立部の背面は、前記ささら桁部の鉛直方向の上側の長辺における鉛直部に当接していることを特徴とする、請求項３又は４に記載の階段。
【請求項６】
前記ささら桁部の鉛直方向下端部には、前記ささら桁部を建物の躯体又は建物の躯体を支持しその荷重を地盤に伝達するコンクリート基礎梁に固定する固定部が設けられており、
前記固定部は、前記躯体よりも鉛直方向において上方に位置する床仕上げ面よりも、下方に位置することを特徴とする請求項１乃至５のいずれか１つに記載の階段。
【発明の詳細な説明】
【技術分野】
【０００１】
本発明は、階段に関し、特に、ささら桁部を備える階段に関するものである。
【背景技術】
【０００２】
従来から、段板の幅方向側面を覆わない力桁形式とし、蹴込み板を設けず、更に、手摺を桟材又は透視性のあるパネル材で構成する階段が知られている。このような階段としては、特許文献１に、スチール製の中空角材などで形成されるささら桁、及び、スチール製などの段板支持プレートと合板などで形成される段板カバーとからなる段板、を有する階段が開示されている。
【先行技術文献】
【特許文献】
【０００３】
【特許文献１】特開２００６−００９３５８号公報
【発明の概要】
【発明が解決しようとする課題】
【０００４】
ところで、都市部に建設される狭小建物において開放感を得る為の工夫として、階段を間仕切り壁等で囲わないで視線が抜けるようにすることがある。特許文献１に開示の階段では、このような工夫を施すことによって、階段を側面から見た際に開放感のある構成とすることができる。しかし、この階段を正面から見た際には、中空角材が目につきやすく、段板や他の内装材とのミスマッチによる美観への影響、及び奥行き方向の開放感への影響が大きくなるという問題がある。
【０００５】
特に、工業化住宅などの、部材が規格化されている建物の場合、美観への影響を軽減するために仕上げ（例えば色など）のバリエーションを多く持たせると、高コスト化するおそれや、管理の手間が増大するおそれがある。
【０００６】
本発明の目的は、上記問題に鑑み、外観の意匠性を損なうことなく、正面から見た際に奥行き方向の開放感が得られる階段を提供することである。
【課題を解決するための手段】
【０００７】
本発明の一態様としての階段は、段板部材と、前記段板部材を支持する荷重支持部材と、備え、前記荷重支持部材は、鋼板で形成され前記段板部材が固定された段板支持部と、鋼板で形成され前記段板支持部の幅方向の中央部を鉛直方向下方から支持する一対のささら桁部と、を備えることを特徴とするものである。
【０００８】
本発明の１つの実施形態として、前記段板支持部は、前記一対のささら桁部それぞれに対して溶接により接合されていることが好ましい。
【０００９】
本発明の１つの実施形態として、前記段板部材及び当該段板部材が固定される前記段板支持部は、それぞれ複数設けられており、前記段板部材は、前記段板支持部の上面に載置される矩形板状の段板部と、前記段板部の奥行き方向の後端部から鉛直方向上方に起立した矩形板状の起立部と、を備え、前記複数の段板部材のうち１つの第１段板部材の前記起立部の上端と、前記第１段板部材よりも１つ上段に位置する第２段板部材の下端及び前記第２段板部材が固定される段板支持部の下端との間には、間隙が形成されていることが好ましい。
【００１０】
本発明の１つの実施形態として、前記間隙は、蹴上寸法の半分以下であることが好ましい。
【００１１】
本発明の１つの実施形態として、前記起立部の背面は、前記ささら桁部の鉛直方向の上側の長辺における鉛直部に当接していることが好ましい。
【００１２】
本発明の１つの実施形態として、前記ささら桁部の鉛直方向下端部には、前記ささら桁部を建物の躯体又は建物の躯体を支持しその荷重を地盤に伝達するコンクリート基礎梁に固定する固定部が設けられており、前記固定部は、前記躯体よりも鉛直方向において上方に位置する床仕上げ面よりも、下方に位置することが好ましい。
【発明の効果】
【００１３】
本発明によると、外観の意匠性を損なうことなく、正面から見た際に奥行き方向の開放感が得られる階段を提供することができる。
【図面の簡単な説明】
【００１４】
【図１】本発明の一実施形態としての階段を示す斜視図である。
【図２】図１に示す階段を正面から見た立面図である。
【図３】図１に示す階段を側面から見た立面図である。
【図４】図１に示す階段における荷重支持部材を示す斜視図である。
【図５】図５ａ及び図５ｂは、図１に示す階段の鉛直方向の下端部の取り付け詳細を示す詳細図である。
【図６】図６ａ及び図６ｂは、図１に示す階段の鉛直方向の上端部の取り付け詳細を示す詳細図である。
【発明を実施するための形態】
【００１５】
以下、本発明に係る階段の１つの実施形態としての階段１について、図１〜図６を参照して説明する。なお、各図において共通の部材には、同一の符号を付している。
【００１６】
図１は、鉄骨造の軸組を有する建物（住宅）内に設置された階段１の斜視図である。図２は、階段１を正面から見た立面図である。図３は、階段１を側面から見た立面図である。図４は、階段１の荷重支持部材３の斜視図である。図５ａ及び図５ｂは、階段１の鉛直方向Ａの下端部と躯体との取り付け詳細を示す詳細図である。図６ａ及び図６ｂは、階段１の鉛直方向Ａの上端部と躯体との取り付け詳細を示す詳細図である。なお、図５ａ及び図６ａは、階段１を正面側から見た場合の詳細図であり、図５ｂ及び図６ｂは、階段１を側面側から見た場合の詳細図である。
【００１７】
図１〜図６に示すように、階段１は、複数の段板部材２と、複数の段板部材２を支持する荷重支持部材３と、を備え、建物の階層間を接続している。本実施形態の階段１は、建物の１階と２階とを接続する階段であり、階段１の鉛直方向Ａ下端側は、建物の躯体を支持しその荷重を地盤に伝達するコンクリート基礎梁４に固定されると共に、階段１の鉛直方向Ａ上端側は、建物の躯体としての鉄骨梁５に固定されることにより、階段１の位置が固定されている。また、階段１は、幅方向Ｃの一端部に、手摺部２１を有する手摺壁２０を備え、階段１の段板部材２及び荷重支持部材３は、幅方向Ｃにおいて、手摺壁２０と、内壁３０と、に挟まれている。なお、図２、図３には、階段１に加えて、階段１が固定されるコンクリート基礎梁４などを併せて示す。また、図１では、説明の便宜上、階段１の手摺壁２０、及び内壁３０を二点鎖線で示し、図２、図３、図５においても、手摺壁２０を二点鎖線により示している。
【００１８】
段板部材２は、図１〜図３に示すように、踏み面を有する矩形板状の段板部６と、この段板部６の奥行き方向（階段１の奥行き方向Ｂと同じ方向）の後端部から連続して鉛直方向Ａ上方に起立した矩形板状の起立部７と、を備える。別の言い方をすれば、段板部材２は、横断面（幅方向Ｃに直交する断面）形状が略Ｌ字形状を有している。段板部６は、荷重支持部材３のうち後述する段板支持部８の上面１１（図４等参照）に載置される。起立部７は、荷重支持部材３のうち後述するささら桁部９の鉛直方向Ａの上側の長辺１２における鉛直部１５（図４等参照）に当接するように配置され、階段１の蹴込み板として機能する。なお、段板部材２は集成材などの木質系材料で形成されている。
【００１９】
荷重支持部材３は、図２〜図５に示すように、鋼板で形成され、段板部材２が載置されると共に段板部材２が固定される段板支持部８と、鋼板で形成され、この段板支持部８の幅方向Ｃの中央部１０を鉛直方向Ａ下方から支持する一対のささら桁部９と、を備える。
【００２０】
段板支持部８は、段板部材２の設置数に対応して複数（本実施形態では１３個）設けられており、各段板部材２は、各段板支持部８の上面１１に載置されると共に、各段板支持部８の鉛直方向Ａ下方から螺入されたビスやボルト等の締結手段により、各段板支持部８に対して固定される。段板支持部８は、図４に示すように、段板部材２が載置される部分に折り曲げ加工が施されていない矩形板状の鋼板で形成されている。そして段板支持部８は、一対のささら桁部９間に架け渡されて、一対のささら桁部９それぞれに対して固定されている。なお、段板部材２が載置される部分に折り曲げ加工が施されていない鋼板としては、図４に示すような、折り曲げ加工が全く施されていない単純な平板状の鋼板に限られるものではなく、例えば、後述するフランジ部２６（図２、図５参照）が付設されている一部の段板支持部８のような、段板部材２が載置される部分以外の位置である、段板部材２の段板部６の下面が接触しない位置に他部材の接合部を形成するための折り曲げ加工が施されている鋼板であってもよい。但し、フランジ部２６の位置は、段板部材２の起立部７によって正面方向から視認されない、あるいは視認されにくい位置とすることが好ましい。
【００２１】
一対のささら桁部９は、図３に示すように、１階から２階に向かって斜めに延在しており、一対のささら桁部９の鉛直方向Ａの上側の長辺１２に複数の段板支持部８が載置されることにより、段板支持部８及び段板支持部８に載置された段板部材２を支持している。階段１は、一対のささら桁部９の鉛直方向Ａの下端部がコンクリート基礎梁４にネジにより固定されると共に、一対のささら桁部９の鉛直方向Ａの上端部が鉄骨梁５にボルト及びナットにより固定されることにより、位置が固定される。この詳細は後述する（図５、図６参照）。なお、「ささら桁部９の鉛直方向Ａの上側の長辺１２」とは、さらら桁部９の鉛直方向Ａ上側に形成された階段状の端面を意味するものである。
【００２２】
また、一対のささら桁部９それぞれは、図２、図３に示すように、折り曲げ加工が施されていない、長尺な平板状の鋼板で形成されている。一対のささら桁部９は、図２に示すように、鋼板の厚み方向を幅方向Ｃとして、鉛直平面である側面１３同士が幅方向Ｃにおいて対向するように、平行に配置されている。更に、図３に示すように、一対のささら桁部９の鉛直方向Ａの上側の長辺１２は、階段１を側面から見た場合に、水平方向に延在する水平部１４と、鉛直方向に延在する鉛直部１５と、を備える。段板支持部８は、鋼板の厚み方向を鉛直方向Ａとして、一対のささら桁部９間に架け渡され、各ささら桁部９の水平部１４上にその上面１１が水平となるように設置され接合されている。なお、上述した段板部材２の段板部６は、段板支持部８の上面１１に載置され、段板部材２の起立部７は、その奥行き方向Ｂの背面（後端側の面）が、長辺１２の鉛直部１５に当接するように配置される。
【００２３】
更に、一対のささら桁部９は、段板支持部８の幅方向Ｃの中央部１０を鉛直方向Ａ下方から支持する。具体的には、図２に示すように、一対のささら桁部９が、階段１を正面から見た場合に、段板支持部８の幅方向Ｃの中心近傍である中央部１０に位置し、段板支持部８は、図３に示すように、一対のささら桁部９の水平部１４上に設置されることにより、一対のささら桁部９により支持されている。
【００２４】
ここで、ささら桁部９は、図２に示すように、幅方向Ｃの寸法（厚み）が１２ｍｍの平板状の鋼板であり、この幅は、段板部材２及び段板支持部８の幅方向Ｃの寸法と比較して非常に小さい（薄い）。そのため、ささら桁部９を階段１の正面から見た場合、ささら桁部９は、階段１の蹴込み部分において長辺１２の鉛直部１５のみが視認され、背後の空間の視認を妨げにくいので、階段１の奥行き方向Ｂの開放感を邪魔しない。また、階段１を斜め方向から見た場合（階段１を正面と側面との間の位置から見た場合）であっても、ささら桁部９が、幅方向Ｃにおいて、段板支持部８の端部１６（本実施形態では段板部材２の端部近傍でもある）には位置せず、段板支持部８の中央部１０（本実施形態では段板部材２の中央部でもある）に位置しているため、一対のささら桁部９が視認されにくい。これにより、ささら桁部９が、たとえ、段板部材２などの仕上げ材や階段１近傍の他の内装材と質感の異なる仕上げ（例えば、鋼板のささら桁部９に対し、段板部材２の仕上げが木質調である場合など）であったとしても、階段１の美観を損ねにくい構成とすることができる。
【００２５】
段板支持部８は、一対のささら桁部９それぞれに対して溶接（本実施形態では隅肉溶接）により接合され、一対のささら桁部９に対して固定されている。段板支持部８と一対のささら桁部９との接合は、溶接に限られるものではなく、例えば、ボルト及びナットなどの締結手段による接合も可能である。但し、本実施形態のように、段板支持部８と一対のささら桁部９とを溶接により接合することにより、ボルト及びナットによる接合と比較して、段板支持部８と一対のささら桁部９との一体性が高まることで、荷重支持部材３の構造体としての剛性が高まり、構造安定性を向上させることができる。また、ボルト及びナットによる接合の場合、接合部において部材どうしがずれて不快な軋み音が発生するおそれがあるが、溶接による接合の場合、接合部でのずれが生じないので軋み音が発生することがない。更に、接合片や接合部材などが必要なくなれば、階段１を構成する部品点数を低減することができると共に、上述したように、溶接によって構造安定性が向上するため、例えば段板支持部８の鋼板の厚みをボルト及びナット接合の場合と比較して薄くできるなど、よりシンプルで洗練された意匠性に優れた荷重支持部材３の構成を実現することができる。また、段板支持部８の厚みを薄くすることにより、階段１の奥行き方向Ｂの開放感を一層強調することができる。
【００２６】
なお、本実施形態では、段板部材２の幅方向Ｃにおける幅が８００ｍｍ程度であるのに対して、各ささら桁部９の幅方向Ｃにおける幅（厚み）が１２ｍｍ、段板支持部８の鉛直方向Ａの厚みが６ｍｍである。また、幅方向Ｃにおいて、各ささら桁部９が段板支持部８を鉛直方向Ａ下方から支持する位置、すなわち、階段１を正面から見た場合の各ささら桁部９の幅方向Ｃにおける位置は、段板支持部８の幅方向Ｃの中心から１００ｍｍ離隔した位置である。つまり、本実施形態では、一対のささら桁部９の幅方向Ｃの中心線間の距離は２００ｍｍである。
【００２７】
また、段板支持部８は、図４に示すように、段板部材２が載置される部分に折り曲げ加工が施されていない矩形板状の鋼板で形成されているため、段板支持部８の上面１１全領域が段板部材２の下面と面接触して段板部材を支持する。上述した特許文献１のような、段板部材としての段板カバーが係合溝を有する構成の場合、係合溝により断面欠損が生じて強度が低下するので、段板カバーの鉛直方向Ａにおける厚みを全体的に大きくしたり高強度の材料を用いたりせざるを得ないことがある。これに対して、本実施形態の段板部材２に断面欠損が生じないので、全体の厚みを小さくしたり低強度の材料を用いたりすることができる。従って、仕上げ材としての段板部材２の鉛直方向Ａにおける厚みや材質について、バリエーションを増やすことが容易となる。
【００２８】
ここで、本実施形態のささら桁部９は、ささら桁部９を側面から見た場合に、鉛直方向Ａの上側の長辺１２に水平方向に延在する水平部１４と、鉛直方向に延在する鉛直部１５と、を備える形状であるが（図３等参照）、このような形状に限られるものではなく、例えば、側面から見た場合に、水平方向に延在する水平部と、鉛直方向に対して傾斜した傾斜部と、でささら桁部の鉛直方向上側の長辺を構成してもよい。
【００２９】
段板支持部８をささら桁部９の水平部１４に溶接により接合することで薄板の鋼板により構成され幅方向Ｃに変形しやすいささら桁部９の剛性を補うことができ、ささら桁部の波打ちを抑制することができる。
【００３０】
また、本実施形態では、複数の段板部材２のうちの任意の１つである第１段板部材２ａの起立部７の上端と、第１段板部材２ａよりも１つ上段に位置する第２段板部材２ｂの下端としての下面及び第２段板部材２ｂが固定される段板支持部８の下端としての下面とは離隔されており、これらの間には間隙が形成されている（図２等参照）。また、本実施形態の段板部材２における起立部７は、鉛直方向Ａにおける長さが、蹴上げ寸法の半分以下となるように構成されている。
【００３１】
起立部７を設けることにより、階段１上で足を滑らせ段板部材２間の隙間から足がすり抜けてしまうことや、乳幼児が段板部材２間の隙間からすり抜けて落下してしまうことを抑制することができる。また、図２に示すように、本実施形態の一対のささら桁部９は、段板支持部８の幅方向Ｃの中央部１０に位置すると共に、奥行き方向Ｂにおいて段板部材２の背面近傍に長辺１２の鉛直部１５が位置しているため、居住者は、階段１を昇る際に深く踏み込ことでささら桁部９の幅（厚み）の小さな鉛直部１５につま先をぶつけるおそれがあるが、起立部７を設けることにより、居住者のつま先は起立部７の広い面にぶつかるので鉛直部１５にぶつける場合に比べて痛みを低減させることができる。また、起立部７の背面が鉛直部１５に当接しているので、鉛直部１５が片持ち状の起立部７に作用する水平方向のせん断力や曲げモーメントに対する補強部材として機能する。従って、段板部材２における段板部６と起立部７との接合を強固なものとする必要がなく、製造コストを低減させることができ、段板部材２の材質や材厚の選択肢を広げることもできる。また、起立部７の鉛直方向Ａの上方には、上述したように隙間が設けられているため、階段１の奥行き方向Ｂにおける開放感についても維持することができる。なお、本実施形態の隙間は、鉛直方向Ａにおいて１１０ｍｍ以下となるように設定されている。
【００３２】
次に、階段１と、コンクリート基礎梁４との接合の詳細について説明する。図５ａ及び図５ｂに示すように、ささら桁部９の鉛直方向Ａ下端部には、ささら桁部９をコンクリート基礎梁４に固定する固定部としての第１固定部１７が設けられている。第１固定部１７は、一対のささら桁部９と一体で形成される、水平面を有する平板状の台座であり、第１固定部１７は、ネジやビスやボルトなどの締結手段により、コンクリート基礎梁４と接合される。
【００３３】
第１固定部１７は、コンクリート基礎梁４よりも鉛直方向Ａにおいて上方に位置する床仕上げ面１８よりも、下方に位置しており、床仕上げ面１８から露出しない構成となっている。このような構成とすることにより、第１固定部１７が露わにならないため、階段１をシンプルな外観に構成することができる
【００３４】
次に、階段１と、建物の躯体としての鉄骨梁５との接合の詳細について説明する。図６ａ及び図６ｂに示すように、ささら桁部９の鉛直方向Ａ上端部には、ささら桁部９をＨ形鋼からなる鉄骨梁５に固定する固定部としての第２固定部１９が設けられている。第２固定部１９は、一対のささら桁部９と一体で形成される、鉛直平面を有する平板状の台座であり、第２固定部１９は、ボルト等の締結手段により、鉄骨梁５と接合される。
【００３５】
ここで、図１に示すように、階段１の段板部材２及び荷重支持部材３（図２〜図４参照）は、幅方向Ｃの両側を手摺壁２０と内壁３０とに挟まれている。本実施形態の手摺壁２０は、手摺部２１と、この手摺部２１が設けられた壁部２２と、を備え、壁部２２は、段板部材２に固定されて鉛直方向Ａに延在する補強部材２３としての支柱状の補強金物を内包している。この補強部材２３は、図３、図５に示すように、隣接する２つの段板支持部８の間で延在し、これら２つの段板支持部８に対してビスやボルトなどの締結手段により固定される基端部２４と、この基端部２４に対して例えばビスやボルトなどの締結手段や溶接等により固定され、基端部２４よりも鉛直方向Ａの上方に延在する延在部２５と、を備える。また、図２、図５に示すように、基端部２４が締結される２つの段板支持部８のうちの下方側の段板支持部８における、奥行き方向Ｂの後端であって、かつ、幅方向Ｃの端部には、水平面である上面１１から鉛直方向Ａに連続して延びるフランジ部２６が付設されている。図５に示すように、補強部材２３の基端部２４のうち鉛直方向Ａの下端側は、このフランジ部２６の背面に接触し、締結手段により固定される。また、図５に示すように、基端部２４のうち鉛直方向Ａの上端側は、フランジ部２６が付設されている段板支持部８よりも１段上に位置する段板支持部８の下面と接触し、締結手段により固定される。なお、図４に示す荷重支持部材３は、フランジ部２６が省略されて描かれている。
【００３６】
壁部２２は、補強部材２３の周囲に取り付けられる下地枠体と、この下地枠体の外側に取り付けられる石膏ボードと、を備える。壁部２２の鉛直方向Ａの下端部は、鉛直方向Ａにおいて、床仕上げ面よりも下方であって、コンクリート基礎梁４上端よりも上方に位置する、床スラブあるいはモルタル等からなる床下地層に固定されている。
【００３７】
本実施形態の階段１は、一対のささら桁部９と段板支持部８とが溶接により接合されて一体となった荷重支持部材３を構造体としており、手摺壁２０がなくても階段１として十分な強度を有するものである。従って、例えば、本実施形態の手摺壁２０を取り除くことも可能である。このような構成とすることにより、奥行き方向Ｂのみならず、幅方向Ｃにおける開放感をも持たせた階段とすることができる。また、幅方向Ｃの開放感を実現する手段としては、手摺壁を設けない構成とすることに限られるものではなく、例えば、手摺壁の石膏ボード等の代わりにガラス板を設けて、奥行き方向Ｂ及び幅方向Ｃにおける開放感を持たせた構成とすることもできる。なお、幅方向Ｃにおいて、階段１と、内壁３０との間には空隙が形成されており、構造的に互いに分離されている。また、段板部材２の奥行き方向Ｂの寸法が、段板支持部８の奥行き方向Ｂの寸法よりも大きく構成されると共に、段板部材２の幅方向Ｃの寸法が、段板支持部８の幅方向Ｃの寸法よりも大きく構成されている。
【００３８】
本実施形態の階段１を備える建物の施工法の一例としては、一対のささら桁部９及び複数の段板支持部８を備える荷重支持部材３を、製造工場等で事前に組み立てておき、躯体工事の際にこの荷重支持部材３を建築現場に搬入して建物内にセットし、次いで、建物内部の木工事や仕上げ工事を行い、その後に、段板支持部８上に段板部材２を載置し固定する方法が考えられる。このような施工法によれば、段板部材２を段板支持部８に載置するのが、例えば内壁３０に仕上げを施した後であるため、段板部材２が存在することによる内壁３０の施工性の悪化を解消することができ、更には段板部材２を養生する手間も省くことができる。
【００３９】
また、段板部材２の取り付けられていなくとも、荷重支持部材３のみで昇降は可能であるので、仮設の昇降手段を別途設けることなく、スムーズに工事を進めることができる。また、段板支持部８と段板部材２とをビスやボルト等の締結手段で締結する際に、作業者が脚立等を使用することなく、下段の起立部７の上方の隙間を利用して、上段の段板支持部８と段板部材２との締結作業を行うことができる。
【００４０】
本発明に従う階段は、本実施形態に限定されるものではなく、特許請求の範囲に従う範囲で種々の変更が可能である。例えば、本実施形態の階段１は、１階と２階との間に設けられたものを示すが、これに限られるものではなく、他の階層間に設ける構成とすることもできる。その際には、荷重支持部材３を、鉛直方向Ａにおいて荷重支持部材３の下方側に位置する躯体及び上方側に位置する躯体にそれぞれ固定することにより、荷重支持部材３の位置を固定すればよい。また、本実施形態の段板部材２及び段板支持部８は、鉛直方向Ａ上方から見た場合に、略長方形状の外形輪郭を有するが、この形状に限られるものではなく、例えば、楕円形状など、階段を設置する環境、用途、デザイン等に応じて適宜変更することができる。更に、本実施形態では、幅方向Ｃにおける段板部材２の中心位置と、幅方向Ｃにおいて段板支持部８の中心位置とが略一致した構成であるが、このような構成に限られるものではなく、例えば、幅方向Ｃにおける段板部材の中心位置を、幅方向Ｃにおける段板支持部８の中心位置からずらすなど、階段を設置する環境、用途、デザイン等に応じて適宜変更することができる。
【産業上の利用可能性】
【００４１】
本発明は、階段に関し、特に、ささら桁部を備える階段に関するものである。
【符号の説明】
【００４２】
１：階段
２：段板部材
２ａ：第１段板部材
２ｂ：第２段板部材
３：荷重支持部材
４：コンクリート基礎梁
５：鉄骨梁
６：段板部
７：起立部
８：段板支持部
９：ささら桁部
１０：段板支持部の幅方向の中央部
１１：段板支持部の上面
１２：ささら桁部の鉛直方向上側の長辺（階段状の端面）
１３：ささら桁部の側面
１４：水平部
１５：鉛直部
１６：段板支持部の幅方向の端部
１７：第１固定部（固定部）
１８：床仕上げ面
１９：第２固定部（固定部）
２０：手摺壁
２１：手摺部
２２：壁部
２３：補強部材
２４：基端部
２５：延在部
２６：フランジ部
３０：内壁
Ａ：鉛直方向
Ｂ：奥行き方向
Ｃ：幅方向
【図１】
2015218478.tif 000003
【図２】
2015218478.tif 000004
【図３】
2015218478.tif 000005
【図４】
2015218478.tif 000006
【図５】
2015218478.tif 000007
【図６】
2015218478.tif 000008